(57)【特許請求の範囲】
【請求項１】
電力の供給を受け、さらに動作指示を受けて動作を実行する複数の機能部を備えた動作実行装置への電力供給を担う電力供給装置であって、
前記複数の機能部に対し個別に、電力の供給と、供給電力の遮断もしくは電力の供給制限とを行う電力供給部と、
音声を検知して音声信号を生成する音検知部と、
前記音検知部で生成された音声信号に基づいて音声認識を行い、前記複数の機能部のうちの１つ以上の機能部に動作を指示するコマンドを生成する音声認識部と、
前記音声認識部で生成されたコマンドを格納しておくコマンド格納部と、
前記コマンド格納部に格納されているコマンドの中から今回のユーザのコマンドを抽出するコマンド抽出部と、
前記電力供給部に、前記コマンド格納部に格納されている全てのコマンドの実行に必要となる全ての機能部に一旦、電力を供給させ、前記コマンド抽出部での今回のユーザのコマンドの抽出を受けて、抽出されたコマンドの実行には不要な機能部への供給電力を遮断もしくは制限させる電力供給制御部とを備えたことを特徴とする電力供給装置。
【請求項２】
予め定められた境界を越えて人が近づいてきたことを検知する人検知部を備え、
前記音声認識部が、前記人検知部による人が近づいてきたことの検知を受けて、音声認識を開始するものであることを特徴とする請求項１に記載の電力供給装置。
【請求項３】
ユーザを特定するユーザＩＤと、該ユーザの声の特徴を表す特徴量と、該ユーザであることを認証する、該特徴量とは別種の認証情報とが互いに対応づけられたユーザ情報を記憶しておくユーザ情報記憶部と、
前記認証情報を用いた、ユーザの個人認証を行う個人認証部と、
前記音検知部で生成された音声信号から声の特徴量を抽出し前記ユーザ情報記憶部を参照して該特徴量に対応するユーザＩＤを取得する特徴量抽出部とをさらに備え、
前記音声認識部が、前記音検知部で生成された音声信号に基づいて音声認識を行うとともに前記特徴量抽出部で取得したユーザＩＤを受け取って、ユーザＩＤが対応づけられたコマンドを生成するものであって、
前記コマンド抽出部が、前記個人認証部での個人認証の成功を受けて、前記コマンド格納部に格納されているコマンドの中から、今回の個人認証の対象となったユーザのユーザＩＤが対応づけられたコマンドを抽出するものであることを特徴とする請求項１または２に記載の電力供給装置。
【請求項４】
請求項１から３のうちのいずれか１項に記載の電力供給装置と、前記動作実行装置とを備え、前記複数の機能部のうちの１つ以上の機能部が、画像形成指示に応じて、用紙上に、画像を表す画像データに基づく画像を形成する機能部であることを特徴とする画像形成装置。
【発明の詳細な説明】
【技術分野】
【０００１】
本発明は、電力供給装置および画像形成装置に関する。
【背景技術】
【０００２】
特許文献１には、人が近づいた場合に音声認識を開始し、マイクが拾った音声の声紋を分析し、個人認証およびコマンド解析を実施してコマンドが関連するハードウェアを節電から復帰させることが提案されている。
【先行技術文献】
【特許文献】
【０００３】
【特許文献１】特開２０１５−０４１１２３号公報
【発明の概要】
【発明が解決しようとする課題】
【０００４】
本発明は、複数のユーザが相前後してコマンドを発生した場合における、節電からの素早い復帰と節電との両立が図られた電力供給装置および画像形成装置を提供することを目的とする。
【課題を解決するための手段】
【０００５】
請求項１は、電力の供給を受け、さらに動作指示を受けて動作を実行する複数の機能部を備えた動作実行装置への電力供給を担う電力供給装置であって、
前記複数の機能部に対し個別に、電力の供給と、供給電力の遮断もしくは電力の供給制限とを行う電力供給部と、
音声を検知して音声信号を生成する音検知部と、
前記音検知部で生成された音声信号に基づいて音声認識を行い、前記複数の機能部のうちの１つ以上の機能部に動作を指示するコマンドを生成する音声認識部と、
前記音声認識部で生成されたコマンドを格納しておくコマンド格納部と、
前記コマンド格納部に格納されているコマンドの中から今回のユーザのコマンドを抽出するコマンド抽出部と、
前記電力供給部に、前記コマンド格納部に格納されている全てのコマンドの実行に必要となる全ての機能部に電力を供給させ、前記コマンド抽出部での今回のユーザのコマンドの抽出を受けて、抽出されたコマンドの実行には不要な機能部への供給電力を遮断もしくは制限させる電力供給制御部とを備えたことを特徴とする電力供給装置である。
【０００６】
請求項２は、予め定められた境界を越えて人が近づいてきたことを検知する人検知部を備え、前記音声認識部が、前記人検知部による人が近づいてきたことの検知を受けて、音声認識を開始するものであることを特徴とする請求項１に記載の電力供給装置である。
【０００７】
請求項３は、
ユーザを特定するユーザＩＤと、該ユーザの声の特徴を表す特徴量と、該ユーザであることを認証する、該特徴量とは別種の認証情報とが互いに対応づけられたユーザ情報を記憶しておくユーザ情報記憶部と、
前記認証情報を用いた、ユーザの個人認証を行う個人認証部と、
前記音検知部で生成された音声信号から声の特徴量を抽出し前記ユーザ情報記憶部を参照して該特徴量に対応するユーザＩＤを取得する特徴量抽出部とをさらに備え、
前記音声認識部が、前記音検知部で生成された音声信号に基づいて音声認識を行うとともに前記特徴量抽出部で取得したユーザＩＤを受け取って、ユーザＩＤが対応づけられたコマンドを生成するものであって、
前記コマンド抽出部が、前記個人認証部での個人認証の成功を受けて、前記コマンド格納部に格納されているコマンドの中から、今回の個人認証の対象となったユーザのユーザＩＤが対応づけられたコマンドを抽出するものであることを特徴とする請求項１または２に記載の電力供給装置である。
【０００８】
請求項４は、請求項１から３のうちのいずれか１項に記載の電力供給装置と、前記動作実行装置とを備え、前記複数の機能部のうちの１つ以上の機能部が、画像形成指示に応じて、用紙上に、画像を表す画像データに基づく画像を形成する機能部であることを特徴とする画像形成装置である。
【発明の効果】
【０００９】
請求項１の電力供給装置および請求項４の画像形成装置によれば、複数のユーザが相前後してコマンドを発声した場合における、節電からの素早い復帰と節電との両立が図られる。
【００１０】
請求項２の電力供給装置によれば、人検知部を備えない場合と比べ、元々不必要なコマンドによる節電からの無駄な復帰による無駄な電力消費を回避することができる。
【００１１】
請求項３の電力供給装置によれば、声の特徴量の抽出を行わない場合と比べ、ユーザによる操作の手間が省かれる。
【図面の簡単な説明】
【００１２】
【図１】本発明の画像形成装置の一実施形態としての複合機の外観を示した図である。
【図２】図１に外観を示した複合機の機能ブロック図である。
【図３】図１，図２に示す複合機の使用にあたっての問題点の説明図である。
【図４】図２に１つのブロックで示した制御装置の内部構成を示したブロック図である。
【図５】ユーザ情報データベースの模式図である。
【図６】、コマンドデータベースの模式図である。
【図７】コマンド格納部にコマンドを格納する場面における制御装置の処理フローを示した図である。
【図８】ＩＣカードによる個人認証が行われた場面における制御装置の処理フローを示した図である。
【図９】コマンド格納部にユーザＩＤが付されていないコマンドが格納される態様における、ＩＣカードによる個人認証が行われた場面における制御装置の処理フローを示した図である。
【図１０】ＵＩの表示部に表示されるコマンドの一例を示した図である。
【発明を実施するための形態】
【００１３】
以下、本発明の実施の形態を説明する。
【００１４】
図１は、本発明の画像形成装置の一実施形態としての複合機の外観を示した図である。図１（Ａ）は平面図、図１（Ｂ）は正面図である。
【００１５】
この複合機１には、人感センサ１０が備えられている。この人感センサ１０は、赤外線を検出するセンサであって、この人感センサ１０によってこの複合機１への人の接近が検知される。この人感センサ１０は、本発明にいう人検知部の一例に相当する。
また、この複合機１には、音声を検知して音声信号を生成するマイク２０が備えられている。この複合機１は、このマイク２０でユーザの音声を検知し、音声認識により、この複合機１の動作を指示するコマンドを生成し、そのコマに応じて動作する機能を備えている。このマイク２０は、本発明にいう音検知部の一例に相当する。
【００１６】
また、この複合機１には、ＩＣカードリーダ３０が備えられている。ユーザは、このＩＣカードリーダ３０に自分のＩＣカードを翳し、正当なユーザであることの認証を受けた後、この複合機１を使用することが可能となる。
【００１７】
さらに、図１には、ＵＩ（ユーザインタフェース）９０が示されている。このＵＩ９０には、この複合機１のユーザにより操作される操作子が備えられている。ユーザは、音声による指示に加え、このＵＩ９０を操作することによっても、この複合機１に各種の指示を伝えることができる。また、このＵＩ９０には、表示部９１が備えられている。この表示部９１には、この複合機１の状態やユーザへのメッセージなど、様々な情報が表示される。
【００１８】
この表示部９１は、タッチパネル式の表示部であり、表示部９１をタッチすることによっても、そこに表示される各種ボタンに応じた指示を入力することもできる。
【００１９】
図２は、図１に外観を示した複合機の機能ブロック図である。この複合機１には、図１を参照して説明したＵＩ９０が備えられている。また、この複合機１には、制御装置１００が備えられている。図１を参照して説明した人感センサ１０、マイク２０、およびＩＣカードリーダ３０は、この制御装置１００の構成要素である。
【００２０】
また、この複合機１には、スキャナ４０、プリンタ５０、ファクシミリ送受信機６０、およびＩ／Ｏコントローラ７０が備えられている。スキャナ４０は、原稿に記録されている画像を読み取ってその画像を表す画像データを生成する機能を有する。
【００２１】
また、プリンタ５０は、画像データを受け取って、用紙上にその画像データに基づく画像をプリント出力する機能を有する。このプリンタ５０には、受け取った画像データを、プリント出力するまでの間記憶しておく画像メモリ５１が備えられている。
【００２２】
このプリンタ５０としては、電子写真方式のプリンタが好適である。ただし、電子写真方式である必要はなく、例えばインクジェットプリンタなど、用紙上に他の方式で画像をプリント出力するプリンタであってもよい。
【００２３】
ここで、このプリンタ５０は、スキャナ４０で生成された画像データに基づく画像をプリント出力するだけでなく、以下に説明するファクシミリ送受信機６０やＩ／Ｏコントローラ７０で受信した画像データに基づく画像のプリント出力も担っている。
【００２４】
ファクシミリ送受信機６０は、電話回線６１に接続されていて、ファクシミリの送信と受信を行う機能を有する。このファクシミリ送受信機６０は、ファクシミリ送信の際は、原稿がスキャナ４０で読み取られることにより得られる画像データを受け取り、ファクシミリ送信用の画像データに変換して送信する。また、ファクシミリ受信の際は、このファクシミリ送受信機６０は、電話回線６１を経由して送信されてきた画像データを受信し、その画像データをこの複合機１で取り扱う形式の画像データに変換してプリンタ５０に渡す。すると、プリンタ５０では、その画像データに基づく画像が用紙上にプリント出力される。
【００２５】
また、Ｉ／Ｏコントローラ７０は、通信回線７１に接続されている。この通信回線７１の先には、この複合機１を使うことのあるユーザ各自のパーソナルコンピュータ（以下、「ＰＣ」と略記する）が接続されている。各ユーザは、この複合機１を使って画像をプリント出力することができる。プリント出力しようとするユーザは、自分のＰＣを操作し、通信回線７１経由で複合機１に向けて画像データを送信する。ユーザのＰＣからこの複合機１に向けて送信されてきた画像データは、Ｉ／Ｏコントローラ７０で受信され、この複合機１で取り扱う形式の画像データに変換されてプリンタ５０に送られる。プリンタ５０は、そのＩ／Ｏコントローラ７０から画像データを受け取って、その受け取った画像データを、一旦、画像メモリ５１に格納する。ここで、ユーザのＰＣから送信されてきた画像データには、そのユーザのＰＣのアドレス情報が付されている。また、この複合機１には、このユーザのＰＣのアドレスとユーザＩＤとの対応関係が予め登録されている（図５参照）。そこで、ユーザのＰＣから画像データが送信されてくると、この複合機１では、画像データに付されているＰＣのアドレスの情報からユーザＩＤを知り、画像データにユーザＩＤの情報を付して画像メモリ５１に格納する。
【００２６】
このプリンタ５０では、画像メモリ５１に画像データが格納された段階では、その画像データに基づく画像のプリント出力は実行しない。自分のＰＣから画像データを送信したユーザは、その送信の後、この複合機のもとへ来て、この複合機１に自分のＩＣカードを翳し、自分が正当なユーザであることの認証を受ける。プリンタ５０は、その認証の後、その認証を受けたユーザのＩＤと一致するユーザＩＤが付されている画像データを画像メモリ５１から読み出して、その画像データに基づく画像をプリント出力する。
【００２７】
また、このＩ／Ｏコントローラ７０は、スキャナ４０での原稿の読み込みにより得られた画像データを受け取り、通信回線７１での送信用の画像データに変換して、その画像データをユーザのＰＣに向けて送信する機能も有する。スキャナ４０での原稿の読み込みにあたっては、それに先立って、ユーザのＩＣカードがＩＣカードリーダ３０に翳されていて、今回スキャナ４０を利用しているユーザのＩＤが分かっているため、そのユーザＩＤからそのユーザＰＣのアドレスが分かり（図５参照）、Ｉ／Ｏコントローラ７０から、そのユーザのＰＣに向けて画像データを送信することができる。
【００２８】
さらに、図２に示すように、この複合機１には、電源装置８０が備えられている。この電源装置８０は、この複合機の各部に電力を供給する。この電源装置８０は、この複合機１の動作に必要な十分な電力を各部に供給する動作モードのほか、各部への電力供給を抑えた節電モードを有する。
【００２９】
ここで、この電源装置８０は、この複合機１を構成するスキャナ４０、プリンタ５０、ファクシミリ送受信機６０といった各モジュールに電力を供給してそれらのモジュールを動作モードに移行させ、また、電力の供給を制限することにより電力消費を抑えた節電モードに移行させる役割の装置である。この電源装置８０は、制御装置１００からの指示に基づいて、動作モードへの移行と節電モードへの移行を、各モジュールごとに行う機能を有する。
【００３０】
人感センサ１０により、この複合機１に人が近づいてきたことが検知されると、制御装置１００は、ユーザの声による指示を受け付ける状態となる。すなわち、ユーザは、ＩＣカードリーダ３０にＩＣカードを翳すよりも前に、複合機１に向かって歩きながら、この複合機１に声で指示することができる。
【００３１】
人感センサ１０によりユーザが近づいてきたことが検知され、さらにユーザからの声による指示が発せられると、制御装置１００は、その声による指示をコマンドに変換し、そのコマンドの実行に必要なモジュールを節電モードから動作モードに復帰させるように、電源装置８０に指示する。すると、電源装置８０は、制御装置１００から指示されたモジュールに、そのモジュールへの電力の供給を直ちに開始する。
【００３２】
この複合機１の各モジュールは、電力の供給が開始されても本来の動作が直ちに可能になるとは限らず、様々な準備動作を経た後に動作可能となる機能部分も存在する。すなわち、電力の供給が開始されてから使用可能になるまでには、タイムラグが存在する。ユーザからの声による指示があると、その指示に実行に必要なモジュールを節電モードから動作モードに復帰させるのは、この準備動作の開始タイミングを早めることで、ユーザが複合機１に到着してＩＣカードを翳してからの待ち時間を短縮するための措置である。
【００３３】
ここで、人感センサ１０で人が近づいたことが検知されたタイミングで、複合機１を構成する全てのモジュールを節電モードから動作モードにさせることも考えられる。ただし、この場合は、複合機１の前を人が単に通り過ぎた場合であっても動作モードに復帰してしまうことになる。あるいは、ユーザが複合機１を実際に使用する場面であっても、そのユーザが、今回はプリンタ５０を使ってのプリント出力のみを行おうとしている場面であっても、スキャナ４０やファクシミリ送受信機６０など、今回は不要なモジュールにまで電力が供給され、省エネルギーの観点から好ましくない。
【００３４】
そこで、本実施形態では、ユーザの声による指示を受けて、その声による指示の実行に必要となるモジュールのみ、節電モードから動作モードに復帰させることとしている。
図３は、図１，図２に示す複合機の使用にあたっての問題点の説明図である。
この複合機１は複数のユーザで共用されている。このため、この図３に示すように、この複合機１を使おうとする複数人のユーザ（この図３では２人のユーザ）が、相前後して、例えば１人のユーザＡが「スキャン」と発音し、もう１人のユーザＢが「プリント」と発音するといった事態が生じ得る。
【００３５】
ここで、「スキャン」は、スキャナ４０で原稿を読み取り、それにより得られた画像データを自分のＰＣに送信することを指示するコマンドである。
【００３６】
また、「プリント」は、自分のＰＣから予め送信しておいた画像データに基づく画像をプリンタ５０でプリント出力することを指示するコマンドである。
【００３７】
この複合機１は、複数人のユーザが同時には使用することはできず、複数人が使用するときは、順番に使用することになる。
【００３８】
そこで、この図３にあるように、１人のユーザＡが声で「スキャン」と指示し、もう１人のユーザＢが声で「プリント」と指示したとし、例えば、「スキャン」と指示したユーザＡが先にＩＣカードを翳して使い始めたとする。すると、「プリント」と指示したもう１人のユーザＢは、自分の席に戻り、そのまま他の仕事を始めてしまい、プリント出力が行われないままとなることが有り得る。また、これとは逆に、「プリント」と指示したユーザＢが先に使い始め、「スキャン」と指示したユーザＡが、この複合機１を使用することなく、そのまま自分の席に戻ってしまうことも有り得る。
【００３９】
このような事態が生じたとき、この複合機１ではどのモジュールを節電モードから動作モードに復帰させるかが問題となる。本実施形態の複合機１では、この図３に例示する事態が生じたとき、「スキャン」と「プリント」という双方の指示による双方の動作が可能なようにスキャナ４０とプリンタ５０との双方を節電モードから動作モードに復帰させる。ただし、このままでは、この複合機１を、スキャナ４０を使用してプリンタ５０を使用しないユーザＡが使い始めたときは、プリンタ５０に電力を無駄に供給し続けることになって電力の無駄となり、しかもプリンタ５０はスキャナ４０よりも準備に時間がかかり、プリンタ５０の準備が完了するまでスキャナ４０の使用も制限されるおそれが生じる。また、これとは逆に、この複合機１を、スキャナ４０を使わずにプリンタ５０を使うユーザＢが使う場合は、スキャナ４０への電力供給が無駄になりかねない。
【００４０】
「スキャン」と「プリント」のうちの、先に声を発した一方のみを動作モードに復帰させることも考えられる。ただし、先に声を発したユーザと実際に先に使用を開始するユーザとが一致しない場面も考えられる。先に声を発した一方のみを動作モードに復帰させた場合、声による指示は後になったユーザが先に使いだすと、ＩＣカードを翳してから動作モードへの復帰が開始されるため暫く待たされることになり、さらに、声を先に発したユーザが使おうとしていたモジュールへの供給電力が無駄となるおそれがある。
【００４１】
本実施形態では、このような事態が生じたときに、以下のようにして、待ち時間の短縮と節電との両立を図っている。すなわち、本実施形態では、図３を参照して説明したような事態が生じたとき、先ずは、声による２つの指示に応じて、スキャナ４０とプリンタ５０との双方が使えるように動作モードに復帰させ、いずれか一方のユーザがＩＣカードを翳していずれのユーザが使うかが確定した時点で、そのユーザの今回の使用法にとって不必要なモジュールを、動作モードから直ちに節電モードに移行させることとしている。
【００４２】
以下、詳細に説明する。
【００４３】
図４は、図２に１つのブロックで示した制御装置の内部構成を示したブロック図である。本実施形態では、この制御装置１００と電源装置８０とを合わせた構成が本発明の電力供給装置の一例に相当する。ここで、これら制御装置１００と電源装置８０とのうちの電源装置８０が、本発明にいう電力供給部の一例に相当し、制御装置１００が、本発明の電力供給装置の、電力供給部を除く他の全ての構成要素の一例に相当する。
【００４４】
ここには、図１，図２にも示した、人感センサ１０、マイク２０、およびカードリーダ３０が示されている。カードリーダ３０は、後述する個人認証部１３０の構成要素である。
【００４５】
また、この制御装置１００には、ユーザ情報データベース１８０とコマンドデータベース１９０が備えられている。
【００４６】
図５は、ユーザ情報データベースの模式図である。
【００４７】
このユーザ情報データベース１８０には、各ユーザごとに、「ユーザＩＤ」と、「特徴量」と、「認証情報」と、「ＰＣアドレス」とが互いに対応づけられて記憶されている。
【００４８】
「ユーザＩＤ」は、そのユーザを特定する番号や記号である。
「特徴量」は、そのユーザの声紋分析等から抽出される、そのユーザの声を特徴づける量である。
【００４９】
また、「認証情報」は、ＩＣカードリーダ３０でユーザのＩＣカードを読み取って得られる情報と照合されて、そのユーザがこの複合機１を使用する権限を有するユーザであることの認証を行うための情報である。
【００５０】
さらに、「ＰＣアドレス」は、通信回線７１（図２参照）の先に接続されている、そのユーザのＰＣのアドレスである。
【００５１】
図６は、コマンドデータベースの模式図である。
【００５２】
ここには、ユーザが声で指示することのできるコマンドの一覧が格納されている。この図６に示す例では、図３を参照して紹介した、「スキャン」および「プリント」のほか、「コピー」と「ファックスＡへ」が示されている。
【００５３】
「コピー」はスキャナ４０で原稿を読み取り、それにより得られた画像データに基づく画像をプリンタ５０でプリント出力することを指示するコマンドである。
【００５４】
また、「ファックスＡへ」は、スキャナ４０で原稿を読み取り、それにより得られた画像データを、ファクシミリ送受信機６０を使って、予め登録してある送信先の１つであるＡへ送信することを指示するコマンドである。
【００５５】
図４に戻って説明を続ける。
【００５６】
この図４に示す制御装置１００には、さらに、特徴量抽出部１１０、音声認識部１２０、個人認証部１３０、コマンド格納部１４０、コマンド抽出部１５０、動作制御部１６０、および、コマンド管理部１７０が備えられている。
【００５７】
特徴量抽出部１１０および音声認識部１２０は、人感センサ１０で人が近づいてきたことが検知されたことをトリガとして動作を開始する。特徴量抽出部１１０では、マイク２０で得られた音声信号に基づいて声紋分析が行われ、その声の特徴を表す特徴量が抽出される。そして、この特徴量抽出部１１０ではさらに、ユーザ情報データベース１８０を参照して、その特徴量に対応付けられているユーザＩＤを取得する。また、音声認識部１２０では、マイク２０で生成された音声信号に基づく音声認識が行われ、さらにコマンドデータベース１９０が参照されて、今回の音声信号によるコマンドが認識される。この音声認識部１２０ではさらに、特徴量抽出部１１０で取得したユーザＩＤを受け取って音声認識により得られたコマンドに対応づけ、ユーザＩＤが付されたコマンドが生成される。
【００５８】
コマンド格納部１４０には、音声認識部１２０においてこのようにして生成された、ユーザＩＤ付きのコマンドが格納される。
【００５９】
ここで、図３を参照して例示したように、ユーザＡが「スキャン」と発声し、ユーザＢが「プリント」と発声した場合には、ユーザＡのＩＤが付された「スキャン」のコマンドと、ユーザＢのＩＤが付された「プリント」のコマンドとの双方が生成されて、それら双方のコマンドがコマンド格納部１４０に格納される。音声認識部１２０において３つ以上のコマンドが認識された場合も同様である。
【００６０】
個人認証部１３０には、ＩＣカードリーダ３０が備えられている。この複合機１を使おうとするユーザは、このＩＣカードリーダ３０に自分のＩＣカードを翳す。すると、ＩＣカードリーダ３０は、翳されたＩＣカードから情報を読み取る。そして、この個人認証部１３０は、ユーザ情報データベース１８０を参照して、そこに記録されている認証情報とＩＣカードリーダ３０で読み取って得た情報とを照合して、ＩＣカードから読み取って得た情報が、ユーザ情報データベース１８０に記録されている認識情報のいずれかと合致するか、あるいは、いずれとも合致しないかが判定される。ＩＣカードから読み取って得た情報がユーザ情報データベース１８０に記録されている認識情報のいずれかと合致した場合は、認証成功となり、いずれの認証情報とも合致しない場合は、認証失敗となる。
【００６１】
認証成功の場合、個人認証部１３０は、その合致した認証情報に対応付けられているユーザＩＤを取得して、コマンド抽出部１５０に渡す。すると、コマンド抽出部１５０は、コマンド格納部１４０に格納されているコマンドの中から、個人認証部１３０から受け取ったユーザＩＤと同一のユーザＩＤが付されているコマンドを抽出して、動作制御部１６０に渡す。この動作制御部１６０は、コマンド抽出部１５０から受け取ったコマンドに応じて、電源装置８０に、動作モードに移行しているモジュールの中でコマンド抽出部１５０から受け取ったコマンドの実行には不要なモジュールが存在する場合に、その不要なモジュールを動作モードから節電モードに移行させるよう指示する。電源装置８０は、動作制御部１６０からその指示を受けると、指示を受けた、今回のコマンドの実行には不要なモジュールへの電力供給を制限して節電モードに移行させる。
【００６２】
次に、この動作制御部１６０は、今回のコマンドの実行に必要なモジュールに向けて、今回のコマンドに応じた動作を指示する。
【００６３】
また、コマンド抽出部１５０は、コマンド格納部に格納されているコマンドの中から、個人認証部１３０から受け取ったユーザＩＤと同一のユーザＩＤが付されたコマンドを抽出すると、コマンド抽出が終了したことを、コマンド管理部１７０に通知する。すると、コマンド管理部１７０は、コマンド格納部１４０に格納されているコマンドを削除する。
【００６４】
ここで、スキャナ４０やプリンタ５０等の各モジュールは、それぞれが本発明にいう機能部の一例に相当する。さらに、スキャナ４０やプリンタ５０等からなる各モジュールの集合が、本発明にいう動作実行装置の一例に相当する。
【００６５】
図７は、コマンド格納部にコマンドを格納する場面における制御装置の処理フローを示した図である。
【００６６】
人感センサ１０による人が近づいてきたことの検知があると（ステップＳ１０１）、音声受信を開始し（ステップＳ１０２）、特徴量抽出部１１０における声紋分析における、声の特徴量の抽出と、ユーザ情報データベース１８０を参照してのユーザＩＤの取得とが行われる（ステップＳ１０３）。
【００６７】
この特徴量抽出処理に失敗したときは（ステップＳ１０４）、特徴量抽出処理の対象となった今回の音声は破棄される（ステップＳ１０５）。一方、このステップＳ１０３における特徴量抽出処理に成功したときは、次に、音声認識部１２０における音声認識処理が行われる（ステップＳ１０６）。ここでは、コマンドデータベース１９０が参照され、また、ステップＳ１０３で取得したユーザＩＤを受け取って、ユーザＩＤ付きのコマンドが生成される。このユーザＩＤ付きのコマンドの生成に失敗したときは（ステップＳ１０７）、特徴量抽出に失敗したとき（ステップＳ１０４）と同様、今回の音声は破棄される（ステップＳ１０８）。
【００６８】
一方、音声認識処理によるユーザＩＤ付きコマンドの生成に成功したときは（ステップＳ１０７）、そのユーザＩＤ付きコマンドがコマンド格納部１４０に格納される（ステップＳ１０９）。さらに、そのコマンドの実行に必要なモジュールが、節電モードから動作モードに移行される。（ステップＳ１１０）。
【００６９】
以上の処理が、この複合機１の近くから人が去るか（ステップＳ１１１）、あるいは個人認証部１３０（図４参照）による個人認証が成功するまで（ステップＳ１１２）、繰り返される。なお、ここでは省略されているが、人の接近が検知されてから予め定められた一定時間（例えば１０分間）が経過しても個人認証成功に至らないときは、音声受信を中止してこの図７の処理を終了し、節電モードに移る。これは、たまたま複合機１の近くを人が通り過ぎ、そのときにマイク２０で拾った音声がたまたまコマンドとして認識された場合などに対処するためである。
【００７０】
図８は、ＩＣカードによる個人認証が行われた場面における制御装置の処理フローを示した図である。
【００７１】
ここでは、ＩＣカードリーダ３０にユーザのＩＣカードが翳されると、そのユーザの個人認証処理が行われる（ステップＳ２０１）。その個人認証に失敗したときは（ステップＳ２０２）、ここでは何もせずに、この処理フローを終了する。
【００７２】
一方、その個人認証に成功したときは（ステップＳ２０２）、コマンド格納部１４０に格納されている全てのコマンドを読み込み（ステップＳ２０３）、それらのコマンドの中から今回認証されたユーザのＩＤが付されたコマンドを抽出する（ステップＳ２０４）。この、今回認証されたユーザのＩＤが付されたコマンドが存在し（ステップＳ２０５）、コマンドの追加が必要なときは（ステップＳ２０６）、ＵＩ９０からの追加のコマンドの入力を受け付ける（ステップＳ２１１）。例えば、音声での指示が「プリント」であったとき、それに先立って送信されてきている画像データとともにプリントの条件、例えば、プリント枚数等の付属情報が送信さて来ていたときは、コマンドの追加は不要である。一方、画像データのみが送信されてきていてプリント枚数等の付属情報が不足していたとき、あるいは、送信されてきている付属情報を変更したいときは、ＵＩ９０からの、プリント枚数等の付属情報に相当するコマンドを入力する必要がある。
【００７３】
ステップＳ２０４におけるコマンド抽出処理において、今回認証されたユーザのＩＤが付されたコマンドが抽出されなかったときは（ステップＳ２０５）、ステップＳ２１１に進み、今回の認証ユーザが実行しようとしている作業を指示するコマンドが、メインのコマンドから全て、ＵＩ９０から入力される。
【００７４】
次いで、今回のコマンド（ＵＩ９０から入力されたコマンドを含む）の実行に必要なモジュールの中に節電モードのままになっているモジュールがあるときは（ステップＳ２１２）、そのモジュールを動作モードに復帰させる（ステップＳ２１３）。一方、今回使用するユーザ以外のユーザの音声コマンド等により、動作モードにあるモジュールの中で、今回のコマンドの実行に不必要なモジュールがあるときは（ステップＳ２１４）、その不必要なモジュールを節電モードに移行させる（ステップＳ２１５）。
【００７５】
次いで、ステップＳ２１６において今回のコマンドによる動作が実行されて、今回実行されたコマンドや残りのコマンドなどの全てのコマンドが削除される（ステップＳ２１７）。さらに、今回のコマンドによる動作が終了すると、今回のコマンドによる動作を担ったモジュールについても、節電モードに移行される（ステップＳ２１８）。
【００７６】
このように、本実施形態では、今回のコマンドの実行には不必要なモジュールを、そのコマンドの実行前のステップＳ２１５において節電モードに移行させることによって、待ち時間の短縮と節電との両立を図っている。
【００７７】
ここでは、音声コマンドによる節電モードから動作モードへの復帰の段階では、どのユーザの声による指示であるかを区別せずに、どのユーザの声による指示であっても、その指示の実行に必要な全てのモジュールを節電モードから動作モードに復帰させることとしている。したがって、本発明は、図４に示す特徴量抽出部１１０を備えていない態様、すなわち、音声認識にあたり、どのユーザの声であるかを識別しない態様も有り得る。以下では、声の特徴量の抽出によるユーザの特定を行わない態様の実施形態について説明する。この態様のときは、音声認識部１２０による音声認識によりコマンドが生成されるが、そのコマンドにはユーザＩＤは付されていない。このため、コマンド格納部１３０には、ユーザＩＤが付されていないコマンドが格納される。
【００７８】
図９は、コマンド格納部１３０にユーザＩＤが付されていないコマンドが格納される態様における、ＩＣカードによる個人認証が行われた場面における制御装置の処理フローを示した図である。この図９は、音声認識により生成されたコマンドにユーザＩＤを付してコマンド格納部１３０に格納する上述の実施形態における、図８に対応する図である。
【００７９】
この図９における処理フローの、ステップＳ２０１〜Ｓ２０３は、図８に示した処理フローの、ステップＳ２０１〜Ｓ２０３とそれぞれ同一である。すなわち、ＩＣカードによる個人認証が行われ（ステップＳ２０１）、その個人認証に成功すると（ステップＳ２０２）コマンド格納部１３０に格納されているコマンドが読み込まれる（ステップＳ２０３）。ただし、このステップＳ２０３で読み込まれたコマンドにはユーザＩＤは付されていない。
【００８０】
次の、ステップＳ２２１〜Ｓ２２４は、図８に示す処理フローとは異なっている。
【００８１】
先ず、ステップＳ２２１において、ステップＳ２０３でコマンドが読み込めたか否か、すなわち、コマンド格納部１３０にコマンドが格納されていたか否かが判定される（ステップＳ２２１）。そして、コマンド格納部１３０内にコマンドが格納されていなかったときはステップＳ２１１に進み、ＵＩ９０からのコマンドの入力が受け付けられる。
【００８２】
一方、ステップＳ２０３において、コマンドが読み込むことができたとき、すなわち、コマンド格納部１３０内にコマンドが格納されていたときは、ＵＩ９０の表示部上にその読み込んだコマンドが表示される。
【００８３】
図１０は、ＵＩの表示部に表示されるコマンドの一例を示した図である。
【００８４】
この図１０には、図３を参照して説明した状況における２つのコマンドである、「スキャン」と「プリント」が表示される。ここで、このＵＩ９０の表示部９１はタッチパネル式の表示部であり、認証されたユーザは、この表示部上の表示を見て、例えば、スキャンを行おうとしていたときは「スキャン」をタッチして「ＯＫ」ボタンを押す。すると、制御装置１００は、コマンド格納部１３０に格納されていた「スキャン」と「プリンタ」との２つのコマンドのうちの「スキャン」のコマンドが、今回認証されたユーザによる声での指示であることを認識する。
【００８５】
今回認証されたユーザが行いたい作業が、「スキャン」でもなく「プリント」でもないときは、「キャンセル」ボタンが押される。
【００８６】
「ＯＫ」ボタンが押されると、追加のコマンドが必要なときは、追加のコマンドの設定画面に移る。一方、「キャンセル」ボタンが押されたときは、メインメニュー画面に移り、メインのコマンドの入力（例えばファクシミリ送信など）から操作が開始される。
【００８７】
図９の処理フローにおけるステップＳ２１１以降の各ステップは、図８の処理フローにおけるステップＳ２１１以降の各ステップと同一であり、ここでの重複説明は省略する。
【００８８】
この図９に示す処理フローによれば、声紋分析による声の特徴量を備えていないことから、ユーザによるＵＩ９０上での操作の手間が増えることになるが、この態様によっても、待ち時間の短縮と節電との両立を図ることができる。
【００８９】
なお、ここでは、個人認証にあたり、ＩＣカードとＩＣカードリーダ３０を採用しているが、本発明はそれに限られるものではなく、例えば指紋による個人認証やパスワード入力による個人認証など、ＩＣカード以外の個人認証手段を採用してもよい。
【００９０】
また、ここでは、複合機を例に挙げて説明したが、本発明にいう動作実行装置および電力供給装置は複合機のみに適用されるものではなく、本発明の電力供給装置は、電力の供給を受け、さらに動作指示を受けて動作を実行する複数の機能部を備えた動作実行装置に電力を供給する場合に広く適用することができるものである。
【符号の説明】
【００９１】
１      複合機
１０    人感センサ
２０    マイク
３０    ＩＣカードリーダ
４０    スキャナ
５０    プリンタ
５１    画像メモリ
６０    ファクシミリ送受信機
７０    Ｉ／Ｏコントローラ
８０    電源装置
９０    ＵＩ（ユーザインタフェース）
９１    表示部
１００  制御装置
１１０  特徴量抽出部
１２０  音声認識部
１３０  個人認証部
１４０  コマンド格納部
１５０  コマンド抽出部
１６０  動作制御部
１７０  コマンド管理部
１８０  ユーザ情報データベース
１９０  コマンドデータベース
【図１】
0006455352.tif 000002
【図２】
0006455352.tif 000003
【図３】
0006455352.tif 000004
【図４】
0006455352.tif 000005
【図５】
0006455352.tif 000006
【図６】
0006455352.tif 000007
【図７】
0006455352.tif 000008
【図８】
0006455352.tif 000009
【図９】
0006455352.tif 000010
【図１０】
0006455352.tif 000011